(57)【特許請求の範囲】
【請求項１】
地中に複数段積み重ねられて埋設される弁筐の配設部における最上段の弁筐の上端に載せられる鋳物製の蓋体を覆うキャップであって、前記蓋体の上端張り出し部を上方から覆うように上面を形成する板部と、この板部の外周から下向きに連設された側板部と、この側板部の下端に周方向適当間隔おきに一体に設けた爪片とを備え、この爪片が前記上端張り出し部の下側に係合するように構成され、さらに上面を形成する板部の外周近傍には全周に亘ってＶ状の切り込み溝部が形成されていることを特徴とする弁筐の蓋体保護用キャップ。
【請求項２】
地中に複数段積み重ねられて埋設される弁筐の配設部における最上段の弁筐の上端に載せられる鋳物製の蓋体を覆うキャップであって、筒状本体部とこの筒状本体部の上端口部を閉じるべく筒状本体部に嵌め込まれる蓋部からなる蓋体を上方から覆うように上面を形成する板部と、この板部の外周から下向きに連設された側板部と、前記筒状本体部と蓋部との間の隙間に差し込まれる爪片とを備え、さらに上面を形成する板部の外周近傍には全周に亘ってＶ状の切り込み溝部が形成されていることを特徴とする弁筐の蓋体保護用キャップ。
【請求項３】
透明な合成樹脂材料からなることを特徴とする請求項１または２記載の弁筐の蓋体保護用キャップ。
【発明の詳細な説明】
【０００１】
【発明の属する技術分野】
本発明は、例えば地中に埋め込まれた上水管もしくは下水管や消火栓に取り付けられる開閉弁の取り付け部において地上から開閉弁を操作すべく開閉弁取り付け部の上部に空間を形成するために地中に埋設される弁筐において、最上段の弁筐の上端に地上から見えるように載置埋設される鋳物製蓋体の傷付き防止を図る弁筐の蓋体保護用キャップに関するものである。
【０００２】
【従来の技術】
従来から、地中に埋め込まれた上水管もしくは下水管や消火栓に取り付けられる開閉弁の取り付け部において地上から開閉弁を操作すべく開閉弁取り付け部の上部に空間を形成するために地中に埋設される弁筐配設部において、最上段の弁筐の上端に地上から見えるように載置埋設される蓋体は鋳物によって作られている。
【０００３】
この鋳物製蓋体は弁筐配設部における最上段の弁筐の上端に載置され、地中に埋設される。そして、この蓋体の埋設後、最終的に地表面がアスファルト舗装される。このとき、アスファルト舗装作業により蓋体の表面（上面）に汚れが付着するという問題があった。
【０００４】
また、前記鋳物製の蓋体には運搬時において汚れや傷が付き易く、特に地上に露出する上面に汚れや傷が付くと、その程度によっては使い物にならないという問題があった。
【０００５】
【発明が解決しようとする課題】
本発明はこのような課題を解決するもので、弁筐配設部における最上段の弁筐の上端に載置される蓋体の運搬時に汚れや傷が付く問題、また蓋体の埋設後における地表面のアスファルト舗装時に汚れが付く問題を解決した弁筐の蓋体保護用キャップを提供することを目的とするものである。
【０００６】
【課題を解決するための手段】
この課題を解決するために本発明は、地中に複数段積み重ねられて埋設される弁筐の配設部における最上段の弁筐の上端に載せられる鋳物製の蓋体を覆うキャップであって、前記蓋体の上端張り出し部を上方から覆うように上面を形成する板部と、この板部の外周から下向きに連設された側板部と、この側板部の下端に周方向適当間隔おきに一体に設けた爪片とを備え、この爪片が前記上端張り出し部の下側に係合するように構成され、さらに上面を形成する板部の外周近傍には全周に亘ってＶ状の切り込み溝部が形成されていることを要旨とするものである。また本発明は、地中に複数段積み重ねられて埋設される弁筐の配設部における最上段の弁筐の上端に載せられる鋳物製の蓋体を覆うキャップであって、筒状本体部とこの筒状本体部の上端口部を閉じるべく筒状本体部に嵌め込まれる蓋部からなる蓋体を上方から覆うように上面を形成する板部と、この板部の外周から下向きに連設された側板部と、前記筒状本体部と蓋部との間の隙間に差し込まれる爪片とを備え、さらに上面を形成する板部の外周近傍には全周に亘ってＶ状の切り込み溝部が形成されていることを要旨とするものである。さらに本発明は、透明な合成樹脂材料からなることを要旨とするものである。
【０００７】
この構成により、弁筐配設部における最上段の弁筐の上端に載置される鋳物製の蓋体には上端にキャップが被さっているので、この蓋体の運搬時に蓋体の上端に汚れや傷が付くのを防止でき、またアスファルト舗装作業時にも蓋体の上端にキャップを付けたままにしておくことができるので、蓋体の筒状本体部の上端面や蓋部の上端面にアスファルト舗装による汚れが付くのを防止できるものである。
【０００８】
【発明の実施の形態】
以下、本発明の実施の形態について、図面に基づいて説明する。
先ず、図１〜図７に示す第１の実施の形態について説明すると、１は合成樹脂製の内筒２と合成樹脂製の外筒３を組み合わせて作られた筒状の弁筐ケース４の中に上端部もしくは下端部に設けた注入口（図示せず）よりレジンコンクリートなどの被充填物５が充填されてなる弁筐で、この弁筐１は地中に埋め込まれた上水管もしくは下水管や消火栓に取り付けられる開閉弁（図示せず）の取り付け部において地上から開閉弁を操作すべく開閉弁取り付け部の上部に空間を形成するために地中に複数段積み重ねられて埋設される。そして、この弁筐配設部における最上段の弁筐１の上端には鋳物製の昇降蓋体６が載せられる。なお、図面に示す実施の形態では、前記弁筐１ならびに昇降蓋体６は平面形状が円形である。前記昇降蓋体６は最上段の弁筐１の上端に形成されている凹部７に嵌り込んで位置決めされ内面に雌ねじ部８が形成されてなる筒状ガイド部９と、この筒状ガイド部９の雌ねじ部８に噛合する雄ねじ部１０が外面に形成され筒状ガイド部９に上方より螺入する筒状本体部１１と、この筒状本体部１１の上端口部１１ａを閉じるべく筒状本体部１１の上端口部１１ａの内面の段差部１１ｂで受けられる蓋部１２とからなり、これら筒状ガイド部９、筒状本体部１１、蓋部１２が鋳物製である。なお、筒状本体部１１の上端面と蓋部１２の上端面は面一状となっている。
【０００９】
上記鋳物製の昇降蓋体６は工場で作られた後、前記筒状本体部１１の上端および前記段差部１１ｂで受けられる蓋部１２を合成樹脂製のキャップ１３で保護しておく。前記筒状本体部１１の上端は外側に張り出すように作られており、この上端張り出し部１４を上方および側方から覆うようにキャップ１３は上面を形成する円形の板部１３ａと、この円形の板部１３ａの外周から下向きに連設された側板部１３ｂとを備えるとともに、側板部１３ｂの下端に内側に傾くように周方向適当間隔おきに爪片１３ｃを一体に設けており、この爪片１３ｃが前記上端張り出し部１４の下側に係合するように構成されている。図面では側板部１３ｂの下端に周方向適当間隔おきに８個の爪片１３ｃが設けられている。さらに、キャップ１３の上面を形成する円形の板部１３ａの外周近傍には全周に亘ってＶ状の切り込み溝部１３ｄが形成されている。
【００１０】
上記構成において、弁筐１が地中に複数段積み重ねられて埋設される弁筐配設部における最上段の弁筐１の上端に昇降蓋体６が載せられるとき、昇降蓋体６の筒状本体部１１の上端張り出し部１４は前記キャップ１３で覆われており、最上段の弁筐１の上端に昇降蓋体６が載せられた後で弁筐１および昇降蓋体６の周りに土を入れ、昇降蓋体６にキャップ１３を付けたまま地表面にアスファルト舗装作業を行なう。アスファルト舗装作業終了後、最終的に前記キャップ１３の上面を形成する板部１３ａを前記切り込み溝部１３ｄの１箇所にカッターなどを刺し込んで、その個所から切り込み溝部１３ｄに沿って板部１３ａを切り取ることによって前記昇降蓋体６の筒状本体部１１の上端面および蓋部１２の上端面は地上に露出することになる。なお、板部１３ａが切り取られた残りの側板部１３ｂや爪片１３ｃは土の中に埋め殺しの状態となる。
【００１１】
ところで、以上述べた実施の形態において、キャップ１３は合成樹脂製であり、最上段の弁筐１の上端に昇降蓋体６を載せるときキャップ１３の上から蓋部１２の上面の表示部が見えるようになっているのが好ましく、そのことからもキャップ１３は透明であるのが良い。また、キャップ１３を透明にする必要がない場合は、金属製であっても良い。
【００１２】
さらに、図面に示す実施の形態では弁筐１ならびに昇降蓋体６は平面形状が円形であり、それに伴いキャップ１３も平面形状が円形であるが、図８〜図１２に示す第２の実施の形態のように平面形状がほぼ矩形の弁筐の上端に載る蓋体１５に対応させるべく平面形状矩形がほぼ矩形のキャップ１６を作ることも可能である。この第２の実施の形態におけるキャップ１６は、筒状本体部１７とこの筒状本体部１７の上端口部１７ａに嵌め込まれる蓋部１８からなる前記蓋体１５を上方から覆うように上面を形成する板部１６ａと、この板部１６ａの外周から下向きに連設された側板部１６ｂと、前記筒状本体部１７と蓋部１８との間のコーナー部の隙間１９に差し込まれる爪片１６ｃとを備えている。前記隙間１９は、筒状本体部１７のコーナー部において蓋部１８のコーナー部よりやや大きく内面が円弧状の凹部１９ａを形成し、筒状本体部１７に蓋部１８が嵌め込まれた状態において前記凹部１９ａの円弧状の内面と蓋部１８のコーナー部の円弧状の外面との間で平面形状が円弧状で下に向かって内側に僅かに傾斜するように形成される。そして、この隙間１９に差し込まれる爪片１６ｃは水平断面形状が直線状もしくは円弧状に形成されているが、この爪片１６ｃは傾斜せずに板部１６ａに直角に形成されている。さらに、キャップ１６の上面を形成する円形の板部１６ａの外周近傍には全周に亘ってＶ状の切り込み溝部１６ｄが形成されている。
【００１３】
従って、この第２の実施の形態におけるキャップ１６も弁筐の上端に蓋体１５が載せられるとき、蓋体１５を覆うことになるが、板部１６ａに直角に形成されている爪片１６ｃが下に向かって内側に僅かに傾斜する隙間１９に差し込まれていることから爪片１６ｃは隙間１９の内面に圧接し、キャップ１６の浮き上がりを防止できる。そして、弁筐の上端に蓋体１５が載せられた後で弁筐および蓋体１５の周りに土を入れ、蓋体１５にキャップ１６を付けたまま地表面にアスファルト舗装作業を行なう。アスファルト舗装作業終了後、最終的に前記キャップ１６の上面を形成する板部１６ａを前記切り込み溝部１６ｄの１箇所にカッターなどを刺し込んで、その個所から切り込み溝部１６ｄに沿って板部１６ａを切り取ることによって前記蓋体１５の筒状本体部１７の上端面および蓋部１８の上端面は地上に露出することになる。そのとき、前記爪片１６ｃは隙間１９から引き抜かれる。なお、板部１６ａが切り取られた残りの側板部１６ｂは土の中に埋め殺しの状態にしておいても良いが、場合によっては側板部１６ｂも土中から取り除くようにしても良い。
【００１４】
【発明の効果】
以上のように本発明によれば、弁筐配設部における最上段の弁筐の上端に載置される鋳物製の蓋体には上端にキャップが被さっているので、この蓋体の運搬時に蓋体の上端に汚れや傷が付くのを防止でき、またアスファルト舗装作業時にも蓋体の上端にキャップを付けたままにしておくことができるので、蓋体の筒状本体部の上端面や蓋部の上端面にアスファルト舗装による汚れが付くのを防止できるものである。
【図面の簡単な説明】
【図１】本発明の第１の実施の形態における平面形状が円形の弁筐と蓋体との関係を示す一部切り欠き斜視図である。
【図２】同蓋体保護用キャップの斜視図である。
【図３】同蓋体保護用キャップの側面図である。
【図４】同蓋体保護用キャップを蓋体に被せた状態を示す斜視図である。
【図５】同弁筐上に蓋体保護用キャップを被せた蓋体を載せて地中に埋設した状態を示す断面図である。
【図６】図５の要部拡大断面図である。
【図７】同地中に埋設された蓋体から保護用キャップの上面を形成する板部を切り取る状態を示す斜視図である。
【図８】本発明の第２の実施の形態における蓋体保護用キャップの斜視図である。
【図９】同蓋体保護用キャップの要部拡大断面図である。
【図１０】同平面形状がほぼ矩形の蓋体の平面図である。
【図１１】同蓋体保護用キャップを被せた蓋体を地中に埋設した状態を示す断面図である。
【図１２】同蓋体保護用キャップの爪片の差し込み部の拡大断面図である。
【符号の説明】
１      弁筐
６      昇降蓋体
８      雌ねじ部
９      筒状ガイド部
１０      雄ねじ部
１１      筒状本体部
１１ａ    上端口部
１２      蓋部
１３      キャップ
１３ａ    板部
１３ｂ    側板部
１３ｃ    爪片
１３ｄ    切り込み溝部
１４      上端張り出し部
１５      蓋体
１６      キャップ
１６ａ    板部
１６ｂ    側板部
１６ｃ    爪片
１６ｄ    切り込み溝部
１７      筒状本体部
１７ａ    上端口部
１８      蓋部
１９      隙間
１９ａ    凹部
【図１】
0003565809.tif 000002
【図２】
0003565809.tif 000003
【図３】
0003565809.tif 000004
【図４】
0003565809.tif 000005
【図５】
0003565809.tif 000006
【図６】
0003565809.tif 000007
【図７】
0003565809.tif 000008
【図８】
0003565809.tif 000009
【図９】
0003565809.tif 000010
【図１０】
0003565809.tif 000011
【図１１】
0003565809.tif 000012
【図１２】
0003565809.tif 000013